(57)【特許請求の範囲】
【請求項１】
機器への給水ラインと接続されて給水中の不純物を除去する濾過膜部と、この濾過膜部の下流側の前記給水ラインと接続されて前記機器への給水を貯留する給水タンクとを備え、前記給水タンクへの給水時には、前記濾過膜部へ給水を供給して濾過し、この濾過膜部からの透過水を前記給水タンク内に貯留する一方で、前記濾過膜部からの濃縮水の一部を所定の量で系外へ排水するとともに、残部を前記濾過膜部の上流側へ還流させる膜濾過システムの運転方法であって、
前記濾過膜部と前記給水タンクとの間の前記給水ラインを閉鎖するとともに、前記濾過膜部からの透過水を前記閉鎖箇所の上流側の前記給水ラインから前記濾過膜部の上流側の前記給水ラインへ還流させる還流運転を、前記給水タンクへの給水を停止しているときに所定時間行った後、前記給水タンクへの給水を開始し、給水を開始してから所定時間、前記濾過膜部からの濃縮水の排水量を前記所定量よりも少なくする水質回復運転を行うことを特徴とする膜濾過システムの運転方法。
【請求項２】
前記給水タンクへの給水を停止しているときに、この給水タンク内の水位が所定の水位まで下降すると、前記還流運転を開始し、この還流運転を開始してから所定時間経過後に、前記給水タンクへの給水を開始することを特徴とする請求項１に記載の膜濾過システムの運転方法。
【請求項３】
前記濾過膜部への給水，前記濾過膜部からの透過水および前記濾過膜部からの濃縮水のいずれかの水質に基づいて、前記還流運転の運転時間の長さを設定することを特徴とする請求項１または２に記載の膜濾過システムの運転方法。
【請求項４】
前記濾過膜部への給水の供給を停止していた時間の長さに基づいて、前記還流運転の運転時間の長さを設定することを特徴とする請求項１または２に記載の膜濾過システムの運転方法。
【請求項５】
前記濾過膜部への給水，前記濾過膜部からの透過水および前記濾過膜部からの濃縮水のいずれかの水質と、前記濾過膜部への給水の供給を停止していた時間の長さとに基づいて、前記還流運転の運転時間の長さを設定することを特徴とする請求項１または２に記載の膜濾過システムの運転方法。
【請求項６】
前記濾過膜部への給水，前記濾過膜部からの透過水および前記濾過膜部からの濃縮水のいずれかの水温に基づいて、前記水質回復運転における濃縮水の排水量および／または運転時間を設定することを特徴とする請求項１，２，３，４または５に記載の膜濾過システムの運転方法。
【請求項７】
前記濾過膜部への給水，前記濾過膜部からの透過水および前記濾過膜部からの濃縮水のいずれかの水質に基づいて、前記水質回復運転における濃縮水の排水量および／または運転時間を設定することを特徴とする請求項１，２，３，４または５に記載の膜濾過システムの運転方法。
【請求項８】
前記濾過膜部への給水の供給を停止していた時間の長さに基づいて、前記水質回復運転における濃縮水の排水量および／または運転時間を設定することを特徴とする請求項１，２，３，４または５に記載の膜濾過システムの運転方法。
【請求項９】
前記濾過膜部への給水，前記濾過膜部からの透過水および前記濾過膜部からの濃縮水のいずれかの水温と、前記濾過膜部への給水，前記濾過膜部からの透過水および前記濾過膜部からの濃縮水のいずれかの水質と、前記濾過膜部への給水の供給を停止していた時間の長さとのうち、いずれか２つ以上に基づいて、前記水質回復運転における濃縮水の排水量および／または運転時間を設定することを特徴とする請求項１，２，３，４または５に記載の膜濾過システムの運転方法。
【発明の詳細な説明】
【技術分野】
【０００１】
この発明は、給水中の不純物を除去する濾過膜部と、機器へ供給するための給水を貯留する給水タンクとを備えた膜濾過システムの運転方法に関する。
【背景技術】
【０００２】
機器への給水の水処理システムとして、給水中に含まれる不純物，たとえば溶存塩類を濾過する濾過膜部と、前記機器へ供給するための給水を貯留する給水タンクとを備えた膜濾過システムがある。
【０００３】
前記濾過膜部の濾過膜としては、たとえば特許文献１に、ナノ濾過膜（ＮＦ膜）を用いた例が開示されている。前記ナノ濾過膜は、２ｎｍ程度より小さい粒子や高分子（分子量が最大数百程度の物質）の透過を阻止することができる液体分離膜である。前記ナノ濾過膜を用いた膜濾過システムでは、前記濾過膜部の一側から給水が流入して、前記ナノ濾過膜により、腐食促進成分およびアルカリ成分が捕捉されるとともに、腐食抑制成分が透過されるようになっている。ここで、腐食促進成分とは、たとえば前記機器が貫流ボイラである場合、非不動態化金属よりなり、ボイラ水が接触する複数の伝熱管や下部管寄せの内面に作用してその腐食を促進するものを云い、通常、硫酸イオン，塩化物イオンおよびその他の物質を含んでいる。また、前記腐食抑制成分とは、前記貫流ボイラにおいて、ボイラ水が接触する前記各伝熱管や前記下部管寄せの内面に作用してその腐食を抑制可能なものを云い、通常、シリカ（すなわち、二酸化ケイ素）を含んでいる。また、アルカリ成分としては、炭酸水素塩や炭酸塩などがあり、これらのアルカリ成分は、前記各伝熱管内や前記下部管寄せ内において熱分解により水酸化物を生成する。この水酸化物は、前記各伝熱管内や前記下部管寄せ内のボイラ水のｐＨを上昇させ、前記各伝熱管や前記下部管寄せの腐食を抑制する作用がある
【０００４】
前記濾過膜部の他側からは、腐食抑制成分を含む透過水と腐食促進成分およびアルカリ成分を含む濃縮水とがそれぞれ分離されて流出する。そして、透過水は前記機器へ供給され、濃縮水はその一部が排水されるとともに、残部が前記濾過膜部の上流側へ還流される。
【特許文献１】特開２００４−２９０８２９号公報
【発明の開示】
【発明が解決しようとする課題】
【０００５】
前記膜濾過システムでは、前記給水タンクへの給水を行うときには、前記濾過膜部の上流側に設けられたポンプによって所定の給水圧力を加えて前記濾過膜部へ給水を供給し、前記ナノ濾過膜によって逆浸透現象を利用して給水を濾過している。しかし、前記給水タンクへの給水を停止するために、前記ポンプを停止して前記濾過膜部への給水を停止すると、前記ナノ濾過膜へ給水供給側からの給水圧力がかからないために、前記ナノ濾過膜付近で浸透現象が起き、透過側の不純物濃度が高くなるとともに、給水供給側の不純物濃度が低くなる。
【０００６】
このように、前記ナノ濾過膜付近において、透過側の不純物濃度が高くなるとともに、給水供給側の不純物濃度が低くなっている状態で、前記濾過膜部へ給水を供給して前記給水タンクへの給水を開始すると、透過水の不純物濃度は、給水開始直後に通常よりも一旦高くなり、その後通常よりも低くなってから徐々に上昇して通常の濃度になる。給水開始直後に透過水の不純物濃度が高くなるのは、前記ナノ濾過膜付近において透過側の不純物濃度が高くなっているからである。また、給水開始後に透過水の不純物濃度が低くなるのは、前記ナノ濾過膜付近において、給水供給側の不純物濃度が低くなっているので、前記濾過膜部からの濃縮水を前記濾過膜部の上流側へ還流させても、前記濾過膜部へ供給される給水の不純物濃度が通常よりも低い状態になっているからである。さらに、透過水の不純物濃度が徐々に上昇し、通常の濃度になるのは、時間の経過とともに徐々に前記濾過膜部へ供給される給水の濃縮が進むからである。
【０００７】
以上のように、前記給水タンクへの給水を停止していた状態から、給水を開始すると、開始直後は不純物濃度が通常よりも高い透過水が、給水として前記給水タンク内に貯留され、その後不純物濃度が通常よりも低い透過水が、給水として前記給水タンク内に貯留される。この結果、前記給水タンク内には、まず腐食促進成分濃度が通常よりも高い透過水が貯留された後、腐食抑制成分濃度とアルカリ成分濃度が通常よりも低い透過水が貯留されることになる。ここで、腐食促進成分濃度が高い給水や腐食抑制成分濃度が低い給水が、前記貫流ボイラへ供給されると、前記各伝熱管や前記下部管寄せの腐食が起きやすくなり、またアルカリ成分濃度が低い給水が前記貫流ボイラへ供給されると、原水のアルカリ成分濃度が低い地域においては、ボイラ水のｐＨが上昇せず、前記各伝熱管や前記下部管寄せの腐食が起きやすくなる。とくに、前記給水タンクへの給水の停止が頻繁に起きたり、給水を停止している時間が長くなったりする場合や、前記給水タンクの容量が小さい場合には、前記給水タンク内の腐食促進成分濃度が高く、また腐食抑制成分濃度やアルカリ成分濃度が低くなりやすいので、前記下部管寄せや前記各伝熱管の腐食の問題が顕著になる。したがって、前記給水タンクへの給水を停止していた状態から、給水を開始したときに、腐食促進成分濃度の上昇をできるだけ抑制するとともに、腐食抑制成分濃度およびアルカリ成分濃度の低下をできるだけ抑制し、透過水の水質をできるだけ安定させることが望まれる。
【０００８】
この発明は、前記の事情に鑑みてなされたもので、その解決しようとする課題は、給水タンクへの給水を停止していた状態から給水を開始したときに、透過水の水質を安定させることができる膜濾過システムの運転方法を実現することである。
【課題を解決するための手段】
【０００９】
この発明は、前記課題を解決するためになされたもので、請求項１に記載の発明は、機器への給水ラインと接続されて給水中の不純物を除去する濾過膜部と、この濾過膜部の下流側の前記給水ラインと接続されて前記機器への給水を貯留する給水タンクとを備え、前記給水タンクへの給水時には、前記濾過膜部へ給水を供給して濾過し、この濾過膜部からの透過水を前記給水タンク内に貯留する一方で、前記濾過膜部からの濃縮水の一部を所定の量で系外へ排水するとともに、残部を前記濾過膜部の上流側へ還流させる膜濾過システムの運転方法であって、前記濾過膜部と前記給水タンクとの間の前記給水ラインを閉鎖するとともに、前記濾過膜部からの透過水を前記閉鎖箇所の上流側の前記給水ラインから前記濾過膜部の上流側の前記給水ラインへ還流させる還流運転を、前記給水タンクへの給水を停止しているときに所定時間行った後、前記給水タンクへの給水を開始し、給水を開始してから所定時間、前記濾過膜部からの濃縮水の排水量を前記所定量よりも少なくする水質回復運転を行うことを特徴とする。
【００１０】
請求項１に記載の発明では、前記給水タンクへの給水を停止しているときに、前記給水タンクへの給水を開始するまでの所定時間、前記還流運転を行って、前記濾過膜部からの透過水を前記濾過膜部の上流側の前記給水ラインへ還流させることにより、前記濾過膜部において透過側よりも給水供給側の水圧が高くなって給水供給側から透過側へ給水が流れ、逆浸透現象により前記濾過膜によって給水中の不純物が除去される。また、前記給水タンクへの給水を開始してから所定時間、前記水質回復運転を行って前記濾過膜部からの濃縮水の排水量を前記所定量よりも少なくすることにより、前記濾過膜部へ供給される給水の濃縮が進む。
【００１１】
請求項２に記載の発明は、請求項１に記載の膜濾過システムの運転方法において、前記給水タンクへの給水を停止しているときに、この給水タンク内の水位が所定の水位まで下降すると、前記還流運転を開始し、この還流運転を開始してから所定時間経過後に、前記給水タンクへの給水を開始することを特徴とする。
【００１２】
請求項２に記載の発明では、前記給水タンク内の水位が所定の水位まで下降したときに、前記還流運転を開始して前記濾過膜部からの透過水を前記濾過膜部の上流側の前記給水ラインへ還流させることにより、前記濾過膜部において給水供給側から透過側へ給水が流れて前記濾過膜によって給水中の不純物が除去される。
【００１３】
請求項３に記載の発明は、請求項１または２に記載の膜濾過システムの運転方法において、前記濾過膜部への給水，前記濾過膜部からの透過水および前記濾過膜部からの濃縮水のいずれかの水質に基づいて、前記還流運転の運転時間の長さを設定することを特徴とする。
【００１４】
請求項３に記載の発明では、前記濾過膜部への給水，前記濾過膜部からの透過水および前記濾過膜部からの濃縮水のいずれかの水質に基づいて、給水中の不純物を十分に除去して透過水の水質悪化を低減させることができるように、前記還流運転の運転時間の長さを設定する。
【００１５】
請求項４に記載の発明は、請求項１または２に記載の膜濾過システムの運転方法において、前記濾過膜部への給水の供給を停止していた時間の長さに基づいて、前記還流運転の運転時間の長さを設定することを特徴とする請求項１または２に記載の膜濾過システムの運転方法。
【００１６】
請求項４に記載の発明では、前記濾過膜部への給水の供給を停止していた時間の長さに基づいて、給水中の不純物を十分に除去して透過水の水質悪化を低減させることができるように、前記還流運転の運転時間の長さを設定する。
【００１７】
請求項５に記載の発明は、請求項１または２に記載の膜濾過システムの運転方法において、前記濾過膜部への給水，前記濾過膜部からの透過水および前記濾過膜部からの濃縮水のいずれかの水質と、前記濾過膜部への給水の供給を停止していた時間の長さとに基づいて、前記還流運転の運転時間の長さを設定することを特徴とする。
【００１８】
請求項５に記載の発明では、前記濾過膜部への給水，前記濾過膜部からの透過水および前記濾過膜部からの濃縮水のいずれかの水質と、前記濾過膜部への給水の供給を停止していた時間の長さとに基づいて、給水中の不純物を十分に除去して透過水の水質悪化を低減させることができるように、前記還流運転の運転時間の長さを設定する。
【００１９】
請求項６に記載の発明は、請求項１，２，３，４または５に記載の膜濾過システムの運転方法において、前記濾過膜部への給水，前記濾過膜部からの透過水および前記濾過膜部からの濃縮水のいずれかの水温に基づいて、前記水質回復運転における濃縮水の排水量および／または運転時間の長さを設定することを特徴とする。
【００２０】
請求項６に記載の発明では、前記濾過膜部への給水，前記濾過膜部からの透過水および前記濾過膜部からの濃縮水のいずれかの水温に基づいて、前記濾過膜部へ供給される給水を過度に濃縮しない範囲で濃縮させて、透過水の水質が所定の水質まで回復するように、前記水質回復運転における濃縮水の排水量および／または運転時間の長さが設定される。
【００２１】
請求項７に記載の発明は、請求項１，２，３，４または５に記載の膜濾過システムの運転方法において、前記濾過膜部への給水，前記濾過膜部からの透過水および前記濾過膜部からの濃縮水のいずれかの水質に基づいて、前記水質回復運転における濃縮水の排水量および／または運転時間の長さを設定することを特徴とする。
【００２２】
請求項７に記載の発明では、前記濾過膜部への給水，前記濾過膜部からの透過水および前記濾過膜部からの濃縮水のいずれかの水質に基づいて、前記濾過膜部へ供給される給水を過度に濃縮しない範囲で濃縮させて、透過水の水質が所定の水質まで回復するように、前記水質回復運転における濃縮水の排水量および／または運転時間の長さが設定される。
【００２３】
請求項８に記載の発明は、請求項１，２，３，４または５に記載の膜濾過システムの運転方法において、前記濾過膜部への給水の供給を停止していた時間の長さに基づいて、前記水質回復運転における濃縮水の排水量および／または運転時間の長さを設定することを特徴とする。
【００２４】
請求項８に記載の発明では、前記濾過膜部への給水を停止していた時間の長さに基づいて、前記濾過膜部へ供給される給水を過度に濃縮しない範囲で濃縮させて、透過水の水質が所定の水質まで回復するように、前記水質回復運転における濃縮水の排水量および／または運転時間の長さが設定される。
【００２５】
さらに、請求項９に記載の発明は、請求項１，２，３，４または５に記載の膜濾過システムの運転方法において、前記濾過膜部への給水，前記濾過膜部からの透過水および前記濾過膜部からの濃縮水のいずれかの水温と、前記濾過膜部への給水，前記濾過膜部からの透過水および前記濾過膜部からの濃縮水のいずれかの水質と、前記濾過膜部への給水の供給を停止していた時間の長さとのうち、いずれか２つ以上に基づいて、前記水質回復運転における濃縮水の排水量および／または運転時間の長さを設定することを特徴とする。
【００２６】
請求項９に記載の発明では、前記濾過膜部への給水，前記濾過膜部からの透過水および前記濾過膜部からの濃縮水のいずれかの水温と、前記濾過膜部への給水，前記濾過膜部からの透過水および前記濾過膜部からの濃縮水のいずれかの水質と、前記濾過膜部への給水の供給を停止していた時間の長さとのうち、いずれか２つ以上に基づいて、前記濾過膜部へ供給される給水を過度に濃縮しない範囲で濃縮させて、透過水の水質が所定の水質まで回復するように、前記水質回復運転における濃縮水の排水量および／または運転時間の長さが設定される。
【発明の効果】
【００２７】
請求項１に記載の発明によれば、前記給水タンクへの給水を停止しているときに、前記給水タンクへの給水を開始するまでの所定時間、前記還流運転を行うことにより、前記濾過膜部において給水中の不純物が除去されるので、前記給水タンクへ給水を開始したときにおける透過水の水質悪化を低減させることができる。また、前記給水タンクへの給水を開始してから所定時間、前記水質回復運転を行うことによって、前記濾過膜部へ供給される給水の濃縮が進み、その不純物濃度が高くなり、透過水の水質を所定の水質まで短時間で回復させることができる。そして、このように給水中の不純物が除去されることによって透過水の水質悪化を低減させることができるとともに、前記濾過膜部へ供給される給水の不純物濃度が高くなって、透過水の水質を所定の水質まで短時間で回復させることができるので、透過水の水質を安定させることができる。したがって、前記給水タンクへの給水の停止が頻繁に起きたり、給水を停止している時間が長くなったりしても、また前記給水タンクの容量が小さくても、前記機器へ供給される給水について、所定の水質を維持することができる。
【００２８】
請求項２に記載の発明によれば、前記給水タンク内の水位が所定の水位まで下降したときに、前記還流運転を開始することによって給水中の不純物が除去され、このように給水中の不純物が除去される還流運転を開始してから所定時間経過後に、前記給水タンクへの給水を開始するので、前記給水タンクへ給水を開始したときにおける透過水の水質悪化を低減させることができる。
【００２９】
請求項３，４に記載の発明によれば、給水中の不純物を十分に除去することができるように、前記還流運転の運転時間を最適なものに設定することができる。
【００３０】
請求項５に記載の発明によれば、前記還流運転の運転時間の長さが、前記濾過膜部への給水，前記濾過膜部からの透過水および前記濾過膜部からの濃縮水のいずれかの水質と、前記濾過膜部への給水の供給を停止していた時間の長さとに基づいて設定されるので、給水中の不純物を十分に除去することができるように、前記還流運転の運転時間の長さを、より最適なものに設定することができる。
【００３１】
請求項６，７または８に記載の発明によれば、前記濾過膜部へ供給される給水を過度に濃縮しない範囲で濃縮させて、透過水の水質を所定の水質まで回復させるように、前記水質回復運転における濃縮水の排水量および／または運転時間の長さを最適なものに設定することができる。
【００３２】
請求項９に記載の発明によれば、前記水質回復運転における濃縮水の排水量および／または運転時間の長さが、前記濾過膜部への給水，前記濾過膜部からの透過水および前記濾過膜部からの濃縮水のいずれかの水温と、前記濾過膜部への給水，前記濾過膜部からの透過水および前記濾過膜部からの濃縮水のいずれかの水質と、前記濾過膜部への給水の供給を停止していた時間の長さとのうち、いずれか２つ以上に基づいて設定されるので、前記濾過膜部へ供給される給水を過度に濃縮しない範囲で濃縮させて、透過水の水質を所定の水質まで回復させるように、前記水質回復運転における濃縮水の排水量および／または運転時間の長さを、より最適なものに設定することができる。
【発明を実施するための最良の形態】
【００３３】
つぎに、この発明の実施の形態について説明する。この発明の実施の形態に係る膜濾過システムの運転方法は、機器への給水ラインと接続された濾過膜部と、この濾過膜部と接続された濃縮水の排水ラインと、この排水ラインと前記濾過膜部の上流側の前記給水ラインとを接続する循環水ラインと、前記濾過膜部の下流側の前記給水ラインに設けられた開閉弁と、この開閉弁の下流側の前記給水ラインと接続された給水タンクと、前記濾過膜部と前記開閉弁との間の前記給水ラインと前記濾過膜部の上流側の前記給水ラインとを接続する透過水還流ラインとを備えた膜濾過システムにおいて実施される。
【００３４】
前記機器としては、蒸気ボイラ，温水ボイラ，クーリングタワー，給湯器などの熱機器を挙げることができる。
【００３５】
前記濾過膜部は、濾過膜により、給水中に含まれる不純物を濾過するものである。前記濾過膜は、具体的にはナノ濾過膜（ＮＦ膜）である。このナノ濾過膜は、２ｎｍ程度より小さい粒子や高分子（分子量が最大数百程度の物質）の透過を阻止することができる液体分離膜であり、濾過機能の点において、限外濾過膜（分子量が１，０００〜３００，０００程度の物質を濾別可能な膜）と逆浸透膜（分子量が数十程度の物質を濾別可能な液体分離膜）との中間に位置する機能を有する液体分離膜である。
【００３６】
前記濾過膜部へは、一側から給水が流入し、この給水中に含まれる不純物が前記ナノ濾過膜によって濾過されるようになっている。具体的には、前記ナノ濾過膜により、腐食促進成分およびアルカリ成分が捕捉されるとともに、腐食抑制成分が透過されるようになっている。
【００３７】
ここで、腐食促進成分は、背景技術の欄で説明したものであり、通常、硫酸イオン，塩化物イオンおよびその他の物質を含んでいる。ちなみに、腐食促進成分として重要なものは、硫酸イオンおよび塩化物イオンの両者である。ところで、ＪＩＳ  Ｂ  ８２２３：１９９９は、貫流ボイラを含む特殊循環ボイラの腐食を抑制する観点から、これらのボイラにおけるボイラ水の水質に関する各種の管理項目および推奨基準を規定し、その中で、塩化物イオン濃度の基準値を設けている。一方、ボイラ水の硫酸イオン濃度には言及されていないが、本願出願人においては、ボイラ水に含まれる硫酸イオンが、腐食促進成分として貫流ボイラの各伝熱管や下部管寄せなどに作用していることを確認している。
【００３８】
また、腐食抑制成分も背景技術の欄で説明したものである。この腐食抑制成分は、通常、シリカ（すなわち、二酸化ケイ素）を含んでいる。ところで、給水に含まれるシリカは、給水として用いる水道水，工業用水，地下水などにおいて、通常含有されている成分で、一般に、前記各伝熱管や前記下部管寄せにおけるスケール生成成分と認識されており、可能な限りその濃度を抑制することが好ましいと考えられている。しかし、本願出願人においては、ボイラ水に含まれるシリカが、腐食抑制成分として前記各伝熱管や前記下部管寄せなどに作用していることを確認している。
【００３９】
さらに、アルカリ成分としては、炭酸水素塩や炭酸塩などを挙げることができる。
【００４０】
前記濾過膜部の他側からは、腐食抑制成分を含む透過水と腐食促進成分およびアルカリ成分を含む濃縮水とが流出するようになっている。そして、透過水は、前記給水ラインを流れて、前記機器へ供給するための給水として前記給水タンク内に貯留されるようになっている。一方、濃縮水は、一部が前記排水ラインから所定の量で系外へ排水されるとともに、残部が前記循環水ラインを通って前記濾過膜部の上流側へ還流されるようになっている。
【００４１】
さて、前記膜濾過システムでは、前記給水タンクへの給水を行うときには、前記濾過膜部へ給水を供給し、この給水中の腐食促進成分およびアルカリ成分を前記ナノ濾過膜によって濾過する。そして、腐食抑制成分が含まれる透過水を前記給水タンク内に貯留する。また、腐食促進成分およびアルカリ成分が含まれる濃縮水の一部を前記排水ラインから所定の量で排水するとともに、残部を前記循環水ラインを介して前記濾過膜部の上流側の前記給水ラインへ還流させる。
【００４２】
前記給水タンクへの給水を行うことにより、この給水タンク内の水位が上昇し、給水を停止する所定の水位になると、前記濾過膜部への給水の供給を停止して、前記給水タンクへの給水を停止する。
【００４３】
そして、前記給水タンクへの給水を開始するときには、給水の開始前に、前記開閉弁を閉状態にして前記給水ラインを閉鎖するとともに、前記濾過膜部からの透過水を前記透過水還流ラインを介して前記濾過膜部の上流側の給水ラインへ還流させる還流運転を、前記給水タンクへの給水を開始するまでの所定時間行う。この還流運転を行って、前記濾過膜部からの透過水を前記濾過膜部の上流側の前記給水ラインへ還流させると、前記濾過膜部において透過側よりも給水供給側の水圧が高くなって給水供給側から透過側へ給水が流れ、逆浸透現象により前記ナノ濾過膜によって給水中の腐食促進成分が除去される。
【００４４】
前記還流運転は、たとえば前記給水タンクの水位が所定の水位まで下降したときに開始する。
【００４５】
また、前記還流運転の運転時間は、給水中の不純物を十分に除去して透過水の水質悪化を低減させることができるような長さに設定する。具体的には、原水の水質（ここでは不純物濃度）は、地域や季節などによって異なるので、前記濾過膜部への給水，前記濾過膜部からの透過水および前記濾過膜部からの濃縮水のいずれかの水質に基づいて、給水中の不純物を十分に除去して透過水の水質悪化を低減させることができるように、前記還流運転の運転時間の長さを設定する。
【００４６】
また、前記濾過膜部への給水の供給を停止していた時間が長くなるほど、前記濾過膜付近において、透過側の不純物濃度が高くなる。したがって、前記濾過膜部への給水の供給を停止していた時間によって、前記濾過膜付近における透過側の不純物濃度が異なってくるので、前記還流運転の運転時間の長さは、前記濾過膜部への給水の供給を停止していた時間の長さに基づいて、給水中の不純物を十分に除去して透過水の水質悪化を低減させることができるように設定してもよい。
【００４７】
さらに、前記還流運転の運転時間の長さは、前記濾過膜部への給水，前記濾過膜部からの透過水および前記濾過膜部からの濃縮水のいずれかの水質と、前記濾過膜部への給水の供給を停止していた時間の長さとに基づいて、給水中の不純物を十分に除去して透過水の水質悪化を低減させることができるように設定してもよい。
【００４８】
前記還流運転を所定時間行うと、前記開閉弁を開状態にするとともに、前記濾過膜部へ給水を供給して前記給水タンクへの給水を開始する。そして、前記給水タンクへの給水を開始すると、開始から所定時間、前記濾過膜部からの濃縮水の排水量を通常時における前記所定量よりも少なくする水質回復運転を行う。すなわち、前記水質回復運転においては、透過水量と排水量との和に対する透過水量の割合（以下、「回収率」と云う。）を、通常よりも高くする。このように回収率を高くする前記水質回復運転を行うことにより、前記濾過膜部へ供給される給水の濃縮が進み、その不純物濃度が高くなる。この結果、透過水の腐食抑制成分濃度が高くなるとともに、前記ナノ濾過膜を透過するアルカリ成分の量も増えてその濃度が高くなるので、透過水の水質が所定の水質まで短時間で回復する。
【００４９】
前記水質回復運転における濃縮水の排水量および／または運転時間の長さは、前記濾過膜部へ供給される給水を過度に濃縮しない範囲で濃縮させて、透過水の水質が所定の水質まで回復するような量，長さに設定する。
【００５０】
具体的には、水温によって、腐食抑制成分であるシリカの溶解度や、アルカリ成分である炭酸水素塩，炭酸塩の溶解度が異なるので、前記濾過膜部への給水，前記濾過膜部からの透過水および前記濾過膜部からの濃縮水のいずれかの水温に基づいて、前記濾過膜部へ供給される給水を過度に濃縮しない範囲で濃縮させて、透過水の水質が所定の水質まで回復するように、前記水質回復運転における濃縮水の排水量および／または運転時間の長さを設定する。
【００５１】
また、原水の水質（ここでは不純物濃度）は、地域や季節によって異なるので、前記濾過膜部への給水，前記濾過膜部からの透過水および前記濾過膜部からの濃縮水のいずれかの水質に基づいて、前記濾過膜部へ供給される給水を過度に濃縮しない範囲で濃縮させて、透過水の水質が所定の水質まで回復するように、前記水質回復運転における濃縮水の排水量および／または運転時間の長さを設定してもよい。
【００５２】
また、前記濾過膜部への給水の供給を停止していた時間が長くなるほど、前記ナノ濾過膜付近において、給水供給側の不純物濃度が低くなる。すなわち、前記濾過膜部への給水の供給を停止していた時間によって、前記ナノ濾過膜付近における給水供給側の不純物濃度が異なってくるので、前記濾過膜部への給水の供給を停止していた時間の長さに基づいて、前記濾過膜部へ供給される給水を過度に濃縮しない範囲で濃縮させて、透過水の水質が所定の水質まで回復するように、前記水質回復運転における濃縮水の排水量および／または運転時間の長さを設定してもよい。
【００５３】
さらに、前記濾過膜部への給水，前記濾過膜部からの透過水および前記濾過膜部からの濃縮水のいずれかの水温と、前記濾過膜部への給水，前記濾過膜部からの透過水および前記濾過膜部からの濃縮水のいずれかの水質と、前記濾過膜部への給水の供給を停止していた時間の長さとのうち、いずれか２つ以上に基づいて、前記濾過膜部へ供給される給水を過度に濃縮しない範囲で濃縮させて、透過水の水質が所定の水質まで回復するよう、前記水質回復運転における濃縮水の排水量および／または運転時間の長さを設定してもよい。
【００５４】
この実施の形態の膜濾過システムによれば、前記給水タンクへの給水を停止しているときに、前記給水タンクへの給水を開始するまでの所定時間、前記還流運転を行うことにより、前記濾過膜部において給水中の腐食促進成分が除去されるので、前記給水タンクへの給水を開始したときにおける透過水の水質悪化を低減させることができる。
【００５５】
また、前記給水タンクへの給水を開始してから所定時間、通常よりも回収率を高くする前記水質回復運転を行うことにより、前記濾過膜部へ供給される給水の濃縮が進み、透過水の腐食抑制成分濃度およびアルカリ成分濃度が高くなり、透過水の水質を短時間で所定の水質まで回復させることができる。
【００５６】
したがって、腐食促進成分濃度の上昇をできるだけ抑制するとともに、腐食抑制成分濃度およびアルカリ成分濃度の低下をできるだけ抑制することができるので、透過水の水質を安定させることができる。これにより、前記給水タンクへの給水の停止が頻繁に起きたり、給水を停止している時間が長くなったりしても、また前記給水タンクの容量が小さくても、前記機器へ供給される給水について、所定の水質を維持することができる。
【００５７】
また、給水中の不純物を十分に除去することができるように、前記還流運転の運転時間の長さを最適なものに設定することができる。
【００５８】
さらに、前記還流運転の運転時間の長さを、前記濾過膜部への給水，前記濾過膜部からの透過水および前記濾過膜部からの濃縮水のいずれかの水質と、前記濾過膜部への給水の供給を停止していた時間の長さとに基づいて設定すれば、給水中の不純物をより十分に除去することができるように、前記還流運転の運転時間の長さを、より最適に設定することができる。
【００５９】
また、前記濾過膜部へ供給される給水を過度に濃縮しない範囲で濃縮させて、透過水の水質を所定の水質まで回復させるように、前記水質回復運転における濃縮水の排水量および／または運転時間の長さを最適なものに設定することができる。
【００６０】
さらに、前記水質回復運転における濃縮水の排水量および／または運転時間の長さを、前記濾過膜部への給水，前記濾過膜部からの透過水および前記濾過膜部からの濃縮水のいずれかの水温と、前記濾過膜部への給水，前記濾過膜部からの透過水および前記濾過膜部からの濃縮水のいずれかの水質と、前記濾過膜部への給水の供給を停止していた時間の長さとのうち、いずれか２つ以上に基づいて設定すれば、前記濾過膜部へ供給される給水を過度に濃縮しない範囲で濃縮させて、透過水の水質を所定の水質まで回復させるように、前記水質回復運転における濃縮水の排水量および／または運転時間の長さをより最適なものに設定することができる。
【実施例】
【００６１】
以下、この発明の具体的実施例を図面に基づいて詳細に説明する。図１は、この発明を実施するための膜濾過システムの構成の一例を示す概略的な説明図、図２は、図１に示す膜濾過システムの給水タンクの拡大説明図である。
【００６２】
図１に示す膜濾過システム１は、水道水，工業用水，地下水などの水源から供給される原水を水処理して得られた給水をボイラ２へ供給するものである。この膜濾過システム１は、前記ボイラ２への給水ライン３を備え、さらにこの給水ライン３と接続された濾過膜部４および脱気膜部５を上流側からこの順で備えている。また、前記膜濾過システム１は、給水を貯留する給水タンク６と前記濾過膜部４の上流側に設けられ、給水を前記濾過膜部４へ供給するポンプ７と、このポンプ７の上流側の前記給水ライン３に設けられた弁８と、前記濾過膜部４と前記脱気膜部５との間の前記給水ライン３に設けられた開閉弁９とを備えている。さらに、前記膜濾過システム１は、前記濾過膜部４と前記開閉弁９との間の前記給水ライン３と、前記ポンプ７と前記弁８との間の前記給水ライン３とを接続する透過水還流ライン１０を備えている。そして、この透過水還流ライン１０には、還流制御弁１１が設けられている。
【００６３】
また、前記膜濾過システム１は、バルーンＡ，Ａ′，Ａ″のうち、いずれかの位置に接続されている温度センサ１２，１２′，１２″およびバルーンＢ，Ｂ′，Ｂ″のうち、いずれかの位置に接続されている水質センサ１３，１３′，１３″を有している。これら水質センサ１３，１３′，１３″は、それぞれ前記濾過膜部４への給水の水質情報，前記濾過膜部４からの透過水および前記濾過膜部４からの濃縮水の水質情報を得るための測定機器であり、たとえば水の電気伝導度を測定する電気伝導度センサである。
【００６４】
前記濾過膜部４は、ナノ濾過膜（図示省略）を備えて構成されている。このナノ濾過膜は、ポリアミド系，ポリエーテル系などの合成高分子膜であり、２ｎｍよりも小さい粒子や高分子（分子量が最大数百程度の物質）の透過を阻止することができる液体分離膜である。前記ナノ濾過膜は、通常、濾過膜モジュールとして構成されている。この濾過膜モジュールの形態には、スパイラルモジュール，中空糸モジュール，平膜モジュールなどがある。
【００６５】
前記濾過膜部４の一側へは、前記ポンプ７から送り出された給水が流入するようになっている。前記濾過膜部４へ流入した給水は、前記ナノ濾過膜により、腐食促進成分およびアルカリ成分が捕捉されるとともに、腐食抑制成分が透過されるようになっている。
【００６６】
前記濾過膜部４の他側からは、腐食抑制成分を含む透過水と腐食促進成分およびアルカリ成分を含む濃縮水とがそれぞれ分離されて流出するようになっている。そして、透過水は、前記給水ライン３を流れて前記給水タンク６内に貯留されるようになっている。一方、濃縮水は、一部が排水ライン１４から所定の量で排水されるとともに、残部が前記排水ライン１４と前記ポンプ７の上流側の前記給水ライン３とを接続する循環水ライン１５を流れて前記ポンプ７の上流側へ還流されるようになっている。
【００６７】
前記排水ライン１４は、前記循環水ライン１５の接続箇所よりも下流側が、第一排水ライン１６，第二排水ライン１７，第三排水ライン１８に分岐している。そして、これらの各排水ライン１６，１７，１８には、それぞれ第一排水弁１９，第二排水弁２０，第三排水弁２１が設けられている。
【００６８】
ここで、前記各排水弁１９，２０，２１は、それぞれ定流量弁機構（図示省略）を備えている。この定流量弁機構は、前記各排水弁１９，２０，２１において、それぞれ異なる流量値に設定されている。前記各排水弁１９，２０，２１からの排水量は、たとえばつぎのように設定される。すなわち、前記第一排水弁１９のみを開状態にしたときの排水量は、回収率が９５％となるように設定され、また前記第二排水弁２０のみを開状態にしたときの排水量は、回収率が９０％となるように設定され、さらに前記第三排水弁２１のみを開状態にしたときの排水量は、回収率が８０％となるように設定される。ここで、以下の説明では、排水量を透過水量と排水量との和に対する排水量の割合で述べる。たとえば、前記第一排水弁１９のみを開状態にしたときの排水量，すなわち回収率が９５％のときの排水量を５％排水と云い、また前記第二排水弁２０のみを開状態にしたときの排水量，すなわち回収率が９０％のときの排水量を１０％排水と云い、さらに前記第三排水弁２１のみを開状態にしたときの排水量，すなわち回収率が８０％のときの排水量を２０％排水と云う。
【００６９】
濃縮水の排水量は、前記各排水弁１９，２０，２１をそれぞれ開閉することにより、段階的に調節することができるようになっている。たとえば、前記第二排水弁２０のみを開状態とし、前記第一排水弁１９および前記第三排水弁２１を閉状態とすることにより、１０％排水とすることができる（すなわち、回収率９０％）。また、たとえば前記第一排水弁１９および前記第二排水弁２０を開状態とし、前記第三排水弁２１のみを閉状態とすることにより、１５％排水とすることができる（すなわち、回収率８５％）。したがって、濃縮水の排水量は、前記各排水弁１９，２０，２１の組合わせにより、５％排水から３５％排水まで、５％毎に段階的に調節することができ、換言すれば、回収率は、６５％から９５％まで、５％毎に段階的に調節することができるようになっている。
【００７０】
ここで、前記循環水ライン１５には、前記ポンプ７の上流側への濃縮水の還流量を一定にするための流量制御弁（図示省略）が設けられていてもよい。この場合、濃縮水の排水量が調節されたときにおいても、前記流量制御弁によって前記ポンプ７の上流側への濃縮水の還流量が一定になるよう調節される。
【００７１】
前記脱気膜部５は、気体透過膜を多数備えた気体透過膜モジュール（図示省略）と、給水中の溶存気体，具体的には溶存酸素を前記気体透過膜モジュールを通して真空吸引する水封式真空ポンプ（図示省略）とを備えている。
【００７２】
前記脱気膜部５を通過した給水は、前記給水タンク６内に貯留され、この給水タンク６から前記ボイラ２へ供給されるようになっている。前記給水タンク６には、水位センサ２２が設けられている。
【００７３】
ここで、前記水位センサ２２により、前記給水タンク６内の水位が水位Ｈ（図２参照。図１においては図示省略）になったことが検知されたときには、前記給水タンク６への給水が停止されるようになっている。また、前記水位センサ２２により、前記給水タンク６内の水位が水位Ｌ０（図２参照。図１においては図示省略）になったことが検知されたときには、後述するように、この発明に係る運転方法の要部となる還流運転が開始されるようになっている。さらに、前記水位センサ２２により、前記給水タンク６内の水位が水位Ｌ（図２参照。図１においては図示省略）になったことが検知されたときには、前記給水タンク６への給水が開始されるようになっている。
【００７４】
前記弁８は、この実施例では減圧弁であり、この弁８により、前記透過水還流ライン１０が接続された部分における前記給水ライン３の水圧が一定圧力以下に調節されるようになっている。
【００７５】
また、この実施例では、前記開閉弁９は電磁弁または電動弁である。また、前記還流制御弁１１はレリーフ弁である。このレリーフ弁は、前記ポンプ７を稼動するとともに前記開閉弁９を開状態にして前記給水タンク６への給水を行うときには、閉状態になり、前記ポンプ７を稼動させるとともに前記開閉弁９を閉状態にして前記還流運転を行うときには、開状態になるように、開弁圧が設定されている。
【００７６】
つぎに、前記膜濾過システム１の運転方法について説明する。前記膜濾過システム１において、前記給水タンク６への給水を行うときには、前記ポンプ７により、まず前記濾過膜部４へ給水を供給し、この給水中の腐食促進成分およびアルカリ成分を前記ナノ濾過膜（図示省略）によって濾過する。このとき、給水中の腐食抑制成分は、前記ナノ濾過膜を透過する。つぎに、前記濾過膜部４から流出した透過水に含まれる溶存酸素を前記脱気膜部５で脱気し、この水を前記ボイラ２へ供給する給水として前記給水タンク６内に貯留する。
【００７７】
一方、前記濾過膜部４からは濃縮水も流出し、この濃縮水は、一部を前記排水ライン１４から所定の量で排水するとともに、残部を前記循環水ライン１５を介して前記ポンプ７の上流側へ還流させる。
【００７８】
前記給水タンク６への給水を行うことにより、前記給水タンク６内の水位が上昇し、前記水位Ｈになったことが前記水位センサ２２によって検知されると、前記ポンプ７を停止して前記濾過膜部４への給水の供給を停止し、前記給水タンク６への給水を停止する。そして、前記給水タンク６への給水を停止しているときに、前記給水タンク６内の水位が前記水位Ｌ０まで下降したことが前記水位センサ２２によって検知されると、前記還流運転を開始する。
【００７９】
さて、前記還流運転は、前記開閉弁９および前記各排水弁１９，２０，２１を閉状態にして、前記濾過膜部４からの透過水を、前記透過水還流ライン１０を介して前記濾過膜部４の上流側へ還流させる運転である。この実施例では、前記開閉弁９を閉状態にして、前記ポンプ７を稼動させる運転を行う。これにより、前記還流制御弁１１の上流側の水圧が、所定値以上になって前記還流制御弁１１が開状態になり、前記濾過膜部４からの透過水が前記透過水還流ライン１０を流れて前記ポンプ７と前記弁８との間の前記給水ライン３へ還流する。
【００８０】
このように、前記濾過膜部４からの透過水が前記透過水還流ライン１０を流れて前記濾過膜部４の上流側へ還流すると、前記濾過膜部４において透過側よりも給水供給側の水圧が高くなって給水供給側から透過側へ給水が流れ、逆浸透現象により前記ナノ濾過膜によって腐食促進成分が除去されるので、前記給水タンク６への給水を開始したときにおける透過水の水質悪化を低減させることができる。
【００８１】
ここで、前記ポンプ７と前記弁８との間の水圧は、前記弁８によって常に一定の水圧に減圧されているので、原水の供給水圧が変動したとしても、前記透過水還流ライン１０からの透過水の還流量は、常に一定の流量になる。
【００８２】
前記還流運転を行うときには、前記各排水弁１９，２０，２１を閉状態にしてもよく、また前記各排水弁１９，２０，２１のいずれかを開状態にしてもよい。前記各排水弁１９，２０，２１を閉状態にすると、節水を図ることができる。一方、前記各排水弁１９，２０，２１のいずれかを開状態にすると、前記濾過膜部４からの濃縮水の不純物濃度が下がり、透過水の水質が良好になる。
【００８３】
前記還流運転を行っているときに、前記給水タンク６内の水位が前記水位Ｌになると、前記開閉弁９を開状態にして前記給水タンク６への給水を開始する。このとき、前記還流制御弁１１よりも上流側の水圧が、前記還流制御弁１１の開弁圧よりも低くなって前記還流制御弁１１が閉状態になり、前記還流運転が終了になる。
【００８４】
前記還流運転の運転時間の長さは、給水中の腐食促進成分を十分に除去して、透過水の水質悪化を低減させることができる長さに設定される。そして、このような運転時間を確保することができるように、前記還流運転を開始する水位Ｌ０が設定される。
【００８５】
具体的には、前記還流運転の運転時間の長さは、給水中の腐食促進成分を十分に除去して透過水の水質悪化を低減させることができるように、前記各水質センサ１３，１３′，１３″の検出値に基づいて設定する。すなわち、原水の水質（ここでは不純物濃度）は、地域や季節などによって異なるので、前記各水質センサ１３，１３′，１３″である電気伝導度センサの検出値が高くなれば、前記水位Ｌ０をより高く設定して前記還流運転の運転時間を長くし、給水中の腐食促進成分を十分に除去する。一方で、前記各水質センサ１３，１３′，１３″の検出値が低くなれば、前記ナノ濾過膜付近における透過側の不純物濃度が低いので、これに応じて前記水位Ｌ０をより低く設定して前記還流運転の運転時間を短くする。
【００８６】
また、前記還流運転の運転時間の長さは、給水中の腐食促進成分を十分に除去して透過水の水質悪化を低減させることができるように、前記濾過膜部４への給水の供給を停止していた時間に基づいて設定してもよい。すなわち、前記濾過膜部４への給水の供給を停止していた時間が長くなるほど、前記ナノ濾過膜付近における透過側の不純物濃度が高くなる。したがって、前記濾過膜部４への給水の供給を停止していた時間が長ければ、前記水位Ｌ０をより高く設定して前記還流運転の運転時間を長くし、給水中の腐食促進成分を十分に除去する。一方で、前記濾過膜部４への給水の供給を停止していた時間が短ければ、前記ナノ濾過膜付近における透過側の不純物濃度が低いので、これに応じて前記水位Ｌ０をより低く設定して前記還流運転の運転時間を短くする。
【００８７】
すなわち、前記還流運転の所定時間は、前記給水タンク６内の水位が前記水位Ｌ０から前記水位Ｌに達するまでの時間として設定される。
【００８８】
さらに、前記還流運転の運転時間の長さは、給水中の腐食促進成分を十分に除去して透過水の水質悪化を低減させることができるように、前記各水質センサ１３，１３′，１３″の検出値と前記濾過膜部４への給水の供給を停止していた時間の長さとに基づいて設定してもよい。
【００８９】
ここで、前記還流運転を開始した後に前記ボイラ２が停止するなど、前記ボイラ２の稼動状況によっては、前記給水タンク６内の水位が前記水位Ｌ０から前記水位Ｌに達するまでの時間が想定されている時間よりも長くなり、前記還流運転の開始後、前記所定時間を経過しても前記給水タンク６内の水位が前記水位Ｌまで達しないこともある。したがって、前記給水タンク６内の水位が前記水位Ｌに達する前であっても、前記還流運転を開始してから所定時間経過後に、前記開閉弁９を開状態にして前記給水タンク６への給水を開始するとともに前記還流運転を終了してもよい。
【００９０】
さて、前記還流運転を終了して、前記給水タンク６への給水を開始すると、開始から所定時間、前記濾過膜部４からの濃縮水の排水量を前記所定量よりも少なくして、回収率を通常よりも高くする水質回復運転を行う。これにより、前記濾過膜部４へ供給される給水の濃縮が進み、不純物濃度が高くなる。この結果、透過水の腐食抑制成分濃度が高くなるとともに、前記ナノ濾過膜を透過するアルカリ成分の量も増えてその濃度が高くなり、透過水の水質が回復する。
【００９１】
前記水質回復運転における濃縮水の排水量および運転時間の長さは、前記濾過膜部４へ供給される給水を過度に濃縮しない範囲で濃縮させて、透過水の水質が所定の水質まで回復することができる量および長さに設定する。
【００９２】
具体的には、前記水質回復運転における濃縮水の排水量および運転時間の長さは、前記濾過膜部４へ供給される給水を過度に濃縮しない範囲で濃縮させて、透過水の水質が所定の水質まで回復することができるように、前記各温度センサ１２，１２′，１２″の検出値に基づいて設定する。すなわち、腐食抑制成分であるシリカの溶解度は、水温が高くなるほど高くなり、水温が低くなるほど低くなるので、前記各温度センサ１２，１２′，１２″の検出値が高ければ、前記水質回復運転における濃縮水の排水量の減少量を多くして回収率をより高めにする。一方、前記各温度センサ１２，１２′，１２″の検出値が低ければ、前記水質回復運転における濃縮水の排水量の減少量を少なくして高温時よりも回収率を低くする。また、前記各温度センサ１２，１２′，１２″の検出値が高くなれば、前記水質回復運転の運転時間を短くし、一方で前記各温度センサ１２，１２′，１２″の検出値が低くなれば、前記水質回復運転の運転時間を長くする。
【００９３】
また、前記水質回復運転における濃縮水の排水量および運転時間の長さは、前記濾過膜部４へ供給される給水を過度に濃縮しない範囲で濃縮させて、透過水の水質が所定の水質まで回復することができるように、前記各水質センサ１３，１３′，１３″の検出値に基づいて設定してもよい。すなわち、原水の水質は、地域や季節によって異なるので、前記各水質センサ１３，１３′，１３″である電気伝導度センサの検出値が低くなれば、前記水質回復運転における濃縮水の排水量の減少量を多くして回収率をより高めにする。一方、前記各水質センサ１３，１３′，１３″の検出値が高くなれば、前記水質回復運転における濃縮水の排水量の減少量を少なくして検出値が低いときよりも回収率を低くする。また、各水質センサ１３，１３′，１３″の検出値が高くなれば、前記水質回復運転の運転時間を短くし、一方で前記各水質センサ１３，１３′，１３″の検出値が低くなれば、前記水質回復運転の運転時間を長くする。
【００９４】
また、前記水質回復運転における濃縮水の排水量および運転時間の長さは、前記濾過膜部４へ供給される給水を過度に濃縮しない範囲で濃縮させて、透過水の水質が所定の水質まで回復することができるように、前記濾過膜部４への給水の供給を停止していた時間に基づいて設定してもよい。すなわち、前記濾過膜部４への給水の供給を停止していた時間が長くなるほど、前記ナノ濾過膜付近において、給水供給側の不純物濃度が低くなる。したがって、前記濾過膜部４への給水を停止していた時間が長ければ、前記水質回復運転における濃縮水の排水量の減少量を多くして回収率をより高くする。一方、前記濾過膜部４への給水を停止していた時間が短ければ、前記水質回復運転における濃縮水の排水量の減少量を少なくして停止時間が長いときよりも回収率を低くする。また、前記濾過膜部４への給水を停止していた時間が長ければ、前記水質回復運転の運転時間を長くし、一方で前記濾過膜部４への給水を停止していた時間が短ければ、前記水質回復運転の運転時間を短くする。
【００９５】
さらに、前記水質回復運転における濃縮水の排水量および運転時間の長さは、前記濾過膜部４へ供給される給水を過度に濃縮しない範囲で濃縮させて、透過水の水質が所定の水質まで回復することができるように、前記各温度センサ１２，１２′，１２″の検出値と、前記各水質センサ１３，１３′，１３″の検出値と、前記濾過膜部４への給水の供給を停止していた時間とのうち、いずれか２つ以上に基づいて設定してもよい。
【００９６】
以上のようにして濃縮水の排水量を設定すると、設定された排水量になるよう、前記各排水弁１９，２０，２１を開閉させる。
【００９７】
以上、この発明を実施例により説明したが、この発明は、その趣旨を変えない範囲で種々変更実施可能なことはもちろんである。
【図面の簡単な説明】
【００９８】
【図１】この発明を実施するための膜濾過システムの構成の一例を示す概略的な説明図である。
【図２】図１に示す膜濾過システムの給水タンクの拡大説明図である。
【符号の説明】
【００９９】
１  膜濾過システム
２  ボイラ（機器）
３  給水ライン
４  濾過膜部
６  給水タンク
【図１】
0004817046.tif 000002
【図２】
0004817046.tif 000003